(57)【要約】【課題】  １０分、１分そして１０秒とそれぞれ独立した時間設定キーで時間設定する加熱調理器において、時間を誤設定したとき簡単に変更できるようにする。【解決方法】  食品１を加熱するとき加熱時間を設定するための１０分キー６ｃ、１分キー６ｂそして１０秒キー６ａとそれぞれ独立した時間設定キー６を備えた加熱調理器において、１０分キー６ｃ、１分キー６ｂそして１０秒キー６ａそれぞれ設定した時間数を減らすことができる減算キー７を設ける。【選択図】  図２
2005090900.tif 000002
【特許請求の範囲】
【請求項１】
食品（１）を加熱するとき加熱時間を設定するための１０分キー（６ｃ）、１分キー（６ｂ）そして１０秒キー（６ａ）とそれぞれ独立した時間設定キー（６）を備えた加熱調理器において、１０分キー（６ｃ）、１分キー（６ｂ）そして１０秒キー（６ａ）それぞれ設定した時間数を減らすことができる減算キー（７）を設けたことを特徴とする加熱調理器。
【発明の詳細な説明】
【技術分野】
【０００１】
本発明は、食品の加熱時間を設定するために１０分、１分そして１０秒とそれぞれ独立した時間設定キーを有した加熱調理器に関するものである。
【背景技術】
【０００２】
加熱調理器において食品を加熱する場合、食品により食べ頃の温度が違う。また、加熱する食品の保存状態、つまり冷凍、冷蔵もしくは常温により加熱時間が異なる。従って食品を加熱するだけで頭を悩ませてしまうということで最近の加熱調理器においては自動調理と称してスタートキーを押すだけで内蔵されたマイコンとセンサーにより加熱制御して食品を上手に食べ頃に仕上げてくれる自動調理タイプが多くなってきている。
【０００３】
しかし、たくさんある食品すべてが自動調理してくれるわけではなく手動調理で加熱しなけならない食品がある。或いは、指定された加熱方法から手順を変えたりすると自動調理ではできなくなる。この場合、例えば電子レンジでは、高周波出力の強弱の設定と加熱時間の設定が必要である。
【０００４】
加熱時間の設定において特許文献１（特開平９−１１２９２０号公報）に示すものは、図３で示すように電子レンジ３０の操作部３１にタイマーつまみ３２が設けられ、このタイマーつまみ３２を回転させて加熱時間を設定するものがあった。
【０００５】
また、特許文献２（特開２０００−７４３８１号公報）に示すものは、図４（ａ）の高周波加熱装置４０の外観正面図におけるＰ部拡大図である（ｂ）に示すように加熱時間を設定するための１０分キー４１ｃ、１分キー４１ｂそして１０秒キー４１ａを設け、それぞれの時間設定キー４１を操作して加熱時間を設定するものがあった。
【０００６】
【特許文献１】特開平９−１１２９２０号公報
【０００７】
【特許文献２】特開２０００−７４３８１号公報
【発明の開示】
【発明が解決しようとする課題】
【０００８】
加熱調理器におけるオーブンレンジの設定できる加熱時間は一般的に機能により異なる。電子レンジやグリルの場合は最大約３０分、オーブンの場合は最大約９０分となっている。
【０００９】
加熱時間の設定例としておわん一杯の味噌汁を手動調理で加熱する場合で説明する。高周波出力５００Ｗ、加熱時間１分３０秒で加熱する場合、特許文献１（特開平９−１１２９２０号公報）のものではタイマーつまみ３２を回転させ１分３０秒にセットする。タイマーつまみ３２を回すだけであるので操作は簡単であるが、図３で示すようにタイマーつまみ３２が凸になっているため操作部３１を掃除するとき邪魔になるとか、タイマーつまみ３２に連動して時間を調節する電子部品であるボリューム（図示せず）のコストアップとか、あるいは前記ボリュームを基板（図示せず）に装着する手間のコストアップなど製造原価が大幅にあがってしまうという問題があった。
【００１０】
特許文献２（特開２０００−７４３８１号公報）のもので同じようにおわん一杯の味噌汁を手動調理で加熱する場合では、高周波出力５００Ｗ、加熱時間１分３０秒で加熱する場合、図４から、まず、１０秒キー４１ａを３回押し３０秒をセットし、次に１分キー４１ｂを１回押し１分をセットすれば完了である。
【００１１】
ここで間違って１０秒キー４１ａを４回押して４０秒になってしまったとき、変更するためにはまず、１０秒キー４１ａをさらに２回押して０秒とし（初期状態にする）、次に１０秒キー４１ａを３回押して３０秒と設定する。このようにちょっと間違っただけで面倒な操作を行なわなければならないという問題があった。
【００１２】
なお、機種によっては間違って時間設定した場合、取消キー４２で設定された時間を取消、初めからやり直すという方法があるが、いずれにしても簡単に変更できないという問題があった。
【課題を解決するための手段】
【００１３】
本発明は上述の課題を解決するためになされたものであり、具体的には、食品を加熱するとき加熱時間を設定するための１０分キー、１分キーそして１０秒キーとそれぞれ独立した時間設定キーを備えた加熱調理器において、１０分キー、１分キーそして１０秒キーそれぞれ設定した時間数を減らすことができる減算キーを設けたものである。
【発明の効果】
【００１４】
本発明の加熱調理器は、食品を加熱するとき加熱時間を設定するための１０分キー、１分キーそして１０秒キーとそれぞれ独立した時間設定キーを備えた加熱調理器において、１０分キー、１分キーそして１０秒キーそれぞれ時間数を減らすことができる減算キーを設けたことにより、時間設定のとき間違って設定しまったときでも簡単に変更が可能となり多忙な食事中でも能率よく食品の加熱を行なうことができる。
【発明を実施するための最良の形態】
【００１５】
以下、本発明の実施の形態について図に従って説明する。
【００１６】
図１は、本発明の加熱調理器の外観斜正面図で１は食品である。２は食品１を収納する加熱室である。３はドアで、食品１を加熱室２に出し入れするとき使用するもので開閉自在になっている。
【００１７】
４は操作パネルで、操作部品などが配列されている。図２は操作パネル４部の拡大図で、５ａは高周波加熱を行なうとき選択するレンジキーである。５ｂは魚などを焼くとき選択するグリルキーである。５ｃはパンやクッキーを焼くとき選択するオーブンキーである。これらレンジキー５ａ、グリルキー５ｂ、オーブンキー５ｃを総称して機能選択キーと称する。
【００１８】
６ａは食品１の加熱時間を１０秒単位で設定する１０秒キーである。６ｂは食品１の加熱時間を１分単位で設定する１分キーである。６ｃは食品１の加熱時間を１０分単位で設定する１０分キーである。これら１０分キー６ｃ、１分キー６ｂ、１０秒キー６ａを総称して時間設定キー６と称する。
【００１９】
７は減算キーで、前記時間設定キー６の各々のキー６ａ、６ｂ、６ｃに対応し設定された数字を１回押しで１単位減らすことができるキーである。８は温度設定キーでオーブン料理のとき加熱室２の温度を設定するとき使用するキーである。９はスタートキーで調理を開始するとき使用するキーである。
【００２０】
１０は表示部で、機能選択キー５で選択した機能や時間設定キー６で設定した時間などの情報を表示するところである。
【００２１】
このように構成された加熱調理器における動作について説明する。
【００２２】
レンジ加熱で食品１（例えば皿に盛付けた野菜の炒め物）を手動調理で行なう場合について説明する。まず、ドア３を開け食品１を加熱室２に収納する。そしてドア３を閉じ、操作パネル４の機能選択キー５からレンジキー５ａを選択する。次に、時間設定キー６を次のように操作して加熱時間を設定する。
【００２３】
この食品１の加熱時間を３分３０秒とすると、まず、１０秒キー６ａを３回押して３０秒を設定する。次に、１分キーを３回押して３分を設定する。このようにして３分３０秒を設定完了するとあとは表示部１０で表示されている内容を確認してスタートキー９を押せば加熱が始まる。
【００２４】
以上は何の間違いも無く操作工程が進んだ場合であるが、加熱時間を設定するとき３０秒を間違えて４０秒に設定した場合、１０秒減らす必要があり１０秒キーは１０秒単位であるため減算キー７を１回押せば３０秒に簡単に変更できる。５０秒の場合は２０秒違いであるため減算キー７を２回押せば３０秒に変更できる。
【００２５】
尚、本発明では減算キー７を専用キーとして設定説明したが、この減算キー７を他のキー、例えば温度設定キー８を兼用しても同じ効果があることはいうまでもない。
【００２６】
このように減算キー７を設けたことにより、時間設定のとき間違って設定しまったときでも簡単に変更が可能となり多忙な食事中でも能率よく食品１の加熱を行なうことができる。
【図面の簡単な説明】
【００２７】
【図１】本発明の一実施例である加熱調理器の外観斜視図である。
【図２】本発明の一実施例である図１の操作部の拡大図である。
【図３】従来の電子レンジの外観斜視図である。
【図４】（ａ）従来の高周波加熱装置の外観正面図である。（ｂ）（ａ）のＰ部拡大図である。
【符号の説明】
【００２８】
１・・・食品
６・・・時間設定キー
６ａ・・１０秒キー
６ｂ・・１分キー
６ｃ・・１０分キー
７・・・減算キー
【図１】
2005090900.tif 000003
【図２】
2005090900.tif 000004
【図３】
2005090900.tif 000005
【図４】
2005090900.tif 000006